(57)【要約】【課題】線路間クロストークの大きさを検出して磁気記録機能の正常・異常の状態判定を行い、磁気記録機能を保証する磁気ディスク装置を提供する。【解決手段】記録ヘッド用コイルの短絡などにより、記録側線路の負荷インダクタンスが小さくなると、記録側線路から再生側線路への線路間クロストークの振幅が大きくなることを利用し、コイル異常（インダクタンスの変化）の検出手段としてプリアンプ２０内に線路間クロストーク振幅検出部３６を設ける。プリアンプ２０の再生回路内の分岐回路３０から分岐して、線路間クロストーク振幅の検出回路３１を設け、さらに振幅が閾値以上になったとき、記録状態異常であることを判断する機能を設けることにより、プリアンプ２０における記録機能の保障が可能になる。また、ヘッド近傍の線路での短絡についても、同様にインダクタンスが小さくなるために、記録状態異常を検出することができる。【選択図】        図１１
2004192676.tif 000002
【特許請求の範囲】
【請求項１】
磁気記録媒体に対して情報を記録再生する磁気ヘッドと、記録異常検出機能を備えたプリアンプと、前記プリアンプと前記磁気ヘッドとの間の記録再生信号を伝送する伝送線路とを有する磁気ディスク装置であって、
前記プリアンプから前記磁気ヘッドまでの前記伝送線路は、線路間クロストークを発生させるための記録側線路と再生側線路との並走区間を設け、再生側のプリアンプの内部で分岐して形成され、
前記再生側のプリアンプの内部で分岐した線路からの信号を入力として線路間クロストーク振幅値を検出する検出回路と、前記検出回路における線路間クロストーク振幅が正常時か異常時かを切り分けるための閾値を出力する信号源と、前記検出回路の出力である実測線路間クロストーク振幅値と前記信号源の出力である閾値とを入力として比較し、前記閾値を越える実測線路間クロストーク振幅値が入力した場合に記録状態異常を示す信号を出力する比較回路と、前記比較回路の出力する記録状態異常を示す信号を受けて記録状態異常と判断する機能とを有することを特徴とする磁気ディスク装置。
【請求項２】
請求項１記載の磁気ディスク装置において、
前記プリアンプから前記磁気ヘッドまでの前記伝送線路は、前記記録側線路と前記再生側線路との前記並走区間における記録側線路中心から再生側線路中心までの間隔を前記記録側線路の幅の３〜５．５倍の範囲内に設定した線路を用いることを特徴とする磁気ディスク装置。
【請求項３】
請求項１記載の磁気ディスク装置において、
前記プリアンプから前記磁気ヘッドまでの前記伝送線路は、前記記録側線路と前記再生側線路との前記並走区間の線路構造が、１層で構成する線路、または２層で、上層は線路、下層は共通電位導体層で構成する伝送線路を用いることを特徴とする磁気ディスク装置。
【請求項４】
磁気記録媒体に対して情報を記録再生する磁気ヘッドと、記録異常検出機能を備えたプリアンプと、前記プリアンプと前記磁気ヘッドとの間の記録再生信号を伝送する伝送線路とを有する磁気ディスク装置の磁気記録機能保証方法であって、
実測線路間クロストーク振幅値を検出する検出回路と、所定の閾値を出力する信号源と、前記信号源の出力する閾値を制御する外部インタフェースと、前記検出回路の出力と前記信号源の出力とを入力として比較する比較回路とを有し、
正常時の線路間クロストーク振幅を調べる際に、前記外部インタフェースを用いて前記信号源の閾値を変化させ、前記比較回路の出力が反転する閾値を求め、前記反転した閾値を正常時の線路間クロストーク振幅値とすることを特徴とする磁気ディスク装置の磁気記録機能保証方法。
【請求項５】
請求項４記載の磁気ディスク装置の磁気記録機能保証方法において、
前記信号源の出力する閾値は、前記正常時の線路間クロストーク振幅値から異常時の線路間クロストーク振幅値までの範囲内に設定することを特徴とする磁気ディスク装置の磁気記録機能保証方法。
【請求項６】
磁気記録媒体に対して情報を記録再生する磁気ヘッドと、記録異常検出機能を備えたプリアンプと、前記プリアンプと前記磁気ヘッドとの間の記録再生信号を伝送する伝送線路とを有する磁気ディスク装置であって、
前記プリアンプから前記磁気ヘッドまでの前記伝送線路における記録側線路から再生側線路への線路間クロストークは、前記記録側線路に接続する負荷のインダクタンスが正常な場合の線路間クロストーク振幅を基準とした時、前記正常な負荷のインダクタンスに対して４３〜６９％の負荷のインダクタンスの場合には線路間クロストークを１．３５〜２倍発生させ、その線路間クロストーク振幅の変化分を検出識別し、記録状態異常であることを示す信号を出力する機能を有することを特徴とする磁気ディスク装置。
【発明の詳細な説明】
【０００１】
【発明の属する技術分野】
本発明は、磁気ディスク装置の記録再生動作の技術に係わり、特に記録ヘッドの磁界発生用コイルに記録電流が流れ、記録磁界を発生させていることを保証する磁気記録機能保証に適用して有効な技術に関する。
【０００２】
【従来の技術】
本発明者が検討したところによれば、磁気ディスク装置の記録再生動作の技術に関しては、以下のような技術が考えられる。
【０００３】
例えば、磁気ディスク装置では、大量のデータを限られたスペースに記録し、短時間で大量のデータを記録再生するために、高記録密度化技術およびデータの高速転送化技術、すなわち記録再生周波数の高周波数化が必須である。
【０００４】
また、情報記録においては、記録データは１回しか送られてこないために「情報を記録する」という記録機能の信頼性が非常に重要である。従って、プリアンプでは記録機能に対して保証をするための磁気記録保証機能を有している。
【０００５】
この記録保証のための検出項目としては、（１）記録ヘッドの磁界発生用コイルの断線、（２）記録ヘッドの磁界発生用コイルの短絡、（３）記録ヘッド線路部分のグランドへの漏電、があった。
【０００６】
前記（１）のコイルの断線は、記録電流が流れない現象を検出していた。前記（２）のコイルの短絡は、プリアンプにおける記録アンプ出力のフライバック電圧の監視で、コイル短絡が発生するとインダクタンスが小さくなるために、フライバック電圧が小さくなる現象を検出していた。前記（３）のグランドへの漏電は、記録電流以外の電流の増減を監視し、電流増減の有無で漏電を検出していた。
【０００７】
さらに、他の保証方法として、磁気テープ装置では、記録後に再生を行い、記録データが正しくかけているかのベリファイチェックを行っている。また、記録ヘッドからの記録磁界を再生ヘッド（ＭＲヘッド）に漏れ込まさせ、ＭＲヘッドによる漏れ込み磁界の波形再生からデータパターンに対応した記録磁界の出力チェックを行い、磁気記録を保証する方法もある（例えば、特許文献１）。
【０００８】
また、磁気情報の記録再生装置に関しては、磁気記録媒体（プリペイドカード）の搬送方向に沿って記録ヘッドと再生ヘッドとを近接して設け、これらの磁気記録と読み取り再生を同時に行ってもクロストークの影響を受けないようにする技術がある（例えば、特許文献２）。また、記録および再生周波数をより高周波数化するために、磁気ヘッドの信号を伝達するための信号用線路に接続された接続パッドの下方の金属サスペンションの一部を除去する技術がある（例えば、特許文献３）。
【０００９】
【特許文献１】
米国特許第６２６６２０２号明細書（第１頁のアブストラクトなど）
【００１０】
【特許文献２】
特開平６−３４９０１２号公報（第１頁の要約など）
【００１１】
【特許文献３】
特開２００２−２５１７０６号公報（第１頁の要約など）
【００１２】
【発明が解決しようとする課題】
ところで、前記のような磁気ディスク装置の記録再生動作の技術について、本発明者が検討した結果、以下のようなことが明らかとなった。
【００１３】
前記のような磁気ディスク装置では、記録ヘッドのインダクタンスを減少させることにより、高周波記録化を進めてきたために、線路のインダクタンスと記録ヘッドのインダクタンスが同程度になった。その結果、記録保証のための検出回路機能が、次のように誤検出する可能性が大きくなった。
【００１４】
例えば、記録ヘッドのコイルの短絡は、フライバック電圧波形の大きさで状態を判定する方法である。この方法では、ヘッドコイルが短絡して記録磁界が発生せず、インダクタンスが低くなっても伝送線路のインダクタンスに応答したフライバック電圧波形が大きいために、記録保証回路では伝送線路のインダクタンスによるフライバック電圧波形振幅を正常時のフライバック電圧波形振幅と誤って検出する可能性が高くなった。すなわち、記録異常にも係わらず記録正常と誤検出をする可能性が大きくなった。
【００１５】
また、ＭＲヘッドは微小磁界にも感じるように改良されているために、記録磁界のような強い磁界が入力すると壊れる恐れがある。そこで、シールド等を配して記録磁界の漏れ込みをなくし、かつ媒体からの記録磁界を効率よく取り出そうとしているために、記録磁界の検出による記録保証も機能しなくなることが考えられる。
【００１６】
そこで、本発明の目的は、記録ヘッドのコイル短絡・記録系伝送線路短絡等により記録側線路負荷のインダクタンスが小さくなると、線路間クロストーク振幅が大きくなることを利用し、記録線路から再生線路への線路間クロストークの大きさを検出して磁気記録機能の正常・異常の状態判定を行い、磁気記録機能を保証する磁気ディスク装置を提供することにある。
【００１７】
【課題を解決するための手段】
本発明は、上記課題を解決するために、下記の手段を用いる。すなわち、プリアンプと記録再生ヘッドの双方を結ぶ伝送線路について、記録側線路と再生側線路が並走しているために、原理的には電磁カップリング（線路間クロストーク）が発生する構造である。通常使用状態では、ＭＲ素子保護のためにクロストークが小さくなるように伝送線路を設計している。このような伝送線路において、記録線路から再生線路への電磁カップリングによる線路間クロストークの大きさを検出することにより、磁気記録機能の正常・異常の状態判定を行う。
【００１８】
具体的には、次のようにクロストーク振幅の違いを検出する。正常な記録ヘッドのインダクタンスをＬａとする。今、記録ヘッドのコイルが短絡をしている場合のインダクタンスをＬｂとすると、ＬｂはＬａに比べて小さくなる。一方、伝送線路の特性インピーダンスと記録ヘッドのインピーダンスには違いがあり、電流反射が発生する。反射電流の過渡応答特性では、インダクタンスが小さいＬｂの方が急峻な立上りの反射電流が流れる。従って、コイルが短絡したことによりインダクタンスが小さくなった記録ヘッドの方が、反射電流も含めた記録電流の立上り波形は急峻になり、線路間クロストークは大きくなる。
【００１９】
また、記録ヘッドへ至る途中で短絡した場合でも、短絡点のインピーダンスが小さくなり、かつインダクタンスも小さくなるために、反射電流の過渡応答が急峻になり、線路間クロストークは大きくなる。上述した線路間クロストークの振幅変化を検出するために、再生回路プリアンプ内にクロストーク振幅検出手段を設ける。そして、正常系でのクロストーク振幅と比較して、振幅が大きくなった場合は、記録系コイル短絡として処理を行う。
【００２０】
すなわち、本発明の磁気ディスク装置は、磁気記録媒体を積層したスピンドル部と、ボイスコイルモータと、アームと、アームの先端に取付けたサスペンションと、サスペンションの先端に取付け磁気記録媒体に対して情報を記録再生する磁気ヘッドと、記録再生信号を伝送するフレキシブル・パターンド・ケーブル（ＦＰＣ）と、ＦＰＣに搭載し記録異常検出機能を有するプリアンプと、プリアンプと磁気ヘッド間の記録再生信号を伝送する伝送線路を搭載したキャリッジ部で構成し、装置全体をアルミ板で覆った構造の磁気ディスク装置のヘッド・ディスク・アセンブリに適用され、以下のような特徴を有するものである。
【００２１】
（１）プリアンプから磁気ヘッドまでの伝送線路については、線路間クロストークを発生させるための記録側線路と再生側線路の並走区間を設け、かつ再生側プリアンプ内部で分岐し、分岐した信号を入力として線路間クロストーク振幅値を検出する検出回路と、線路間クロストーク振幅が正常時か異常時かを切り分けるための閾値を出力する信号源と、検出回路の出力である実測線路間クロストーク振幅値と信号源の出力である閾値を入力として比較し、閾値を越える実測線路間クロストーク振幅値が入力した場合に記録状態異常を示す信号を出力する比較回路と、記録状態異常を示す信号を受けて記録状態異常と判断する機能で構成したことを特徴とするものである。
【００２２】
（２）前記（１）において、プリアンプから磁気ヘッドまでの伝送線路については、記録側線路と再生側線路の並走区間における記録側線路中心から再生側線路中心までの間隔を記録側線路幅の５倍以内（３〜５．５倍）に設定した線路を用いることを特徴とするものである。
【００２３】
（３）前記（１）において、プリアンプから磁気ヘッドまでの伝送線路については、線路間クロストークを発生させるための記録側線路と再生側線路の並走区間の線路構造は、１層で構成する線路、または２層で、上層は線路、下層は共通電位導体層で構成する伝送線路を用いることを特徴とするものである。
【００２４】
（４）実測線路間クロストーク振幅値を検出する検出回路と、ある閾値を出力する信号源と、信号源の出力閾値を制御する外部インタフェースと、検出回路の出力と信号源の出力を入力として比較する比較回路で構成した線路間クロストーク振幅検出部については、正常時の線路間クロストーク振幅を調べるために、外部インタフェースを用いて信号源の閾値を変化させ、比較回路の出力が反転する閾値を求め、その閾値が正常時の線路間クロストーク振幅値であることを調べる手法を搭載した磁気記録機能保証方法を特徴とするものである。
【００２５】
（５）前記（４）において、信号源の出力の閾値は、正常時の線路間クロストーク振幅値から異常時の線路間クロストーク振幅値までの範囲内に設定する磁気記録機能保証方法を特徴とするものである。
【００２６】
（６）プリアンプから磁気ヘッドまでの伝送線路における記録側線路から再生側線路への線路間クロストークについては、記録側線路に接続する負荷のインダクタンスが正常な場合の線路間クロストーク振幅を基準とした時、正常負荷インダクタンスに対し５０％以下（４３〜６９％）の負荷インダクタンスの場合には線路間クロストークを１．５倍以上（１．３５〜２倍）発生させ、その線路間クロストーク振幅の変化分を検出識別し、記録状態異常であることを示す信号を出力する機能を有することを特徴とするものである。
【００２７】
【発明の実施の形態】
以下、本発明の実施の形態を図面に基づいて詳細に説明する。なお、実施の形態を説明するための全図において、同一機能を有する部材には同一の符号を付し、その繰り返しの説明は省略する。
【００２８】
まず、図１により、本発明の一実施の形態の磁気ディスク装置の構成の一例を説明する。図１は磁気ディスク装置の構成図を示す。
【００２９】
本実施の形態の磁気ディスク装置は、例えばＨＤＡ（ヘッド・ディスク・アセンブリ）１０と、記録再生制御回路１１などから構成される。
【００３０】
ＨＤＡ１０は、磁気記録媒体１３を積層したスピンドル部１２と、磁気記録媒体１３に対して情報を記録再生する磁気ヘッド１４などを搭載したキャリッジ部１５で構成され、アルミ板で覆った構造のものである。
【００３１】
キャリッジ部１５は、磁気ヘッド１４を磁気記録媒体１３上でシークおよび位置決めさせるためのＶＣＭ（ボイスコイルモータ）１７と、アーム１８と、アーム１８の先端に取付けたサスペンション１９と、サスペンション１９の先端に取付けた磁気ヘッド１４と、記録再生信号を伝送するＦＰＣ（フレキシブル・パターンド・ケーブル）１６と、ＦＰＣ１６に搭載したプリアンプ２０と、プリアンプ２０と磁気ヘッド１４間の記録再生信号を伝送する伝送線路２１で構成されている。
【００３２】
ＨＤＡ１０と外部装置との間には、記録再生制御回路１１がある。記録再生制御回路１１には、信号処理ＬＳＩ２２とＨＤＤ（ハードディスクドライブ）コントローラ２３が搭載されている。ＨＤＡ１０側のコネクタ２５−１と記録再生制御回路１１側のコネクタ２５−２を接続することにより、プリアンプ２０と信号処理ＬＳＩ２２が接続される。記録再生制御回路１１の外部インタフェース２４を介して、外部装置と接続されるようになっている。
【００３３】
次に、図２を用いて、本実施の形態の磁気ディスク装置において、アーム・サスペンション上の伝送線路の一例を説明する。図２はアーム・サスペンション上の伝送線路を表し、それぞれ、（ａ）は伝送線路の平面図、（ｂ）は（ａ）のＡ−Ａ’切断線による伝送線路の断面図を示す。
【００３４】
図２（ａ）に示すように、プリアンプ２０から磁気ヘッド１４へ至る伝送線路２１は、アーム１８の横に沿って配置され、サスペンション１９上にはプリント形成して設けられている。プリント形成した伝送線路２１の先端には、記録ヘッド用コイル端子１４Ｗ、再生ヘッドの出力端子１４Ｒなどが設けられた磁気ヘッド１４が接続されている。また、伝送線路２１の他端には、記録アンプ２０Ｗ、再生アンプ２０Ｒからなるプリアンプ２０が接続されている。
【００３５】
この伝送線路２１は、記録側線路２１Ｗと再生側線路２１Ｒが並走している並走部２１ａと、分離している分離部２１ｂからなり、並走部２１ａが線路間クロストークの発生部分になる。並走部２１ａの記録側線路２１Ｗと再生側線路２１Ｒの位置関係は図２（ｂ）に示すようになる。すなわち、記録側線路２１Ｗと再生側線路２１Ｒは、所定の間隔で配置され、それぞれ、一対の記録側導体４０、一対の再生側導体４１からなる。これらの記録側導体４０、再生側導体４１は、下部導体４４の上部に積層されたベース４３の上に配置され、カバー４２により覆われた構造となっている。
【００３６】
以上のように構成される磁気ディスク装置では、特にプリアンプ２０と記録再生の磁気ヘッド１４および双方を記録再生用の伝送線路２１で結ぶ構成において、記録側線路２１Ｗと再生側線路２１Ｒの一部または全部が並走した構造の伝送線路を用い、かつプリアンプ内の再生側信号を分岐し、再生側線路２１Ｒに誘導されたクロストーク振幅の判定機能を有する部分（後述する図１１に示す線路間クロストーク振幅検出部３６）からなる。ここで用いる伝送線路２１は、２層で上層が線路導体、下層が共通電位の下部導体の構造の他、１層の線路導体のみの構造でもよい。
【００３７】
ここで、磁気ディスク装置における情報の記録動作について説明する。一般的に、情報記録は次のように行う。
【００３８】
まず、上位装置から入力された情報を磁気記録再生に適したパターンデータに変換する。次に、パターンデータの‘１’に記録電流の極性反転を対応させ、データ‘０’には無反転を対応させる。パターンデータに極性反転電流を対応させた記録電流をプリアンプ２０の記録アンプ２０Ｗから記録側線路２１Ｗに出力する。この記録電流は記録側線路２１Ｗを通り、磁気ヘッド１４の記録ヘッド用コイル端子１４Ｗに達する。
【００３９】
そして、記録ヘッド用コイル端子１４Ｗから磁気ヘッド１４の内部の記録磁界発生用コイルへ通電され、電流の極性に対応した磁界の方向を持つ記録磁界を発生する。磁気記録媒体１３には、データパターン‘１’に対応した電流の反転、すなわち磁化反転を記録し、データパターン‘０’では電流の無反転、すなわち無磁化反転を記録する。
【００４０】
一方、記録情報の再生は、磁気記録媒体１３の磁化方向を磁気ヘッド１４内の再生ヘッド（ＭＲヘッド）が感知し、電圧の変化としてプリアンプ２０に入力する。このプリアンプ２０では、再生アンプ２０Ｒで増幅した再生信号をチャネルＬＳＩへ送り、データパターンをデコードすることにより、記録情報を再生する。
【００４１】
次に、図３を用いて、伝送線路の並走部分における線路間クロストークの発生原理を説明する。図３は線路間クロストークの発生原理を表し、それぞれ、（ａ）は線路間クロストークの発生原理の説明図、（ｂ）は各磁力線による電磁誘導の説明図を示す。
【００４２】
図３（ａ）に示すように、伝送線路２１の並走部２１ａにおいて、記録側線路２１Ｗには差動の記録電流を通電する。その際、記録側導体４０の周りには電流に対応した磁界が発生する。この磁界の強度は、記録側導体４０からの距離が離れるに従い弱くなる特性がある。従って、磁力線（Ｉ）５０、磁力線（ＩＩ）５１、磁力線（ＩＩＩ）５２を代表として仮定すると、磁力線５０が最も磁界が強くなる。
【００４３】
次は、磁力線５１の磁界強度が強くなる。しかし、磁力線５１は再生側線路２１Ｒの線路間を鎖交しているために、図３（ｂ）のように再生側線路２１Ｒの片側導体に電磁誘導（線路間クロストーク）が発生する。
【００４４】
さらに、磁力線５２になると、磁界強度は弱まるが、図３（ｂ）のように再生側導体４１の両方に同極の電磁誘導を発生させる。しかし、同極であるために再生側線路２１Ｒに流れる差動の誘導電流としての影響は殆どない。
【００４５】
従って、磁力線５１が線路間クロストークとして働いている。本発明は、上記の磁力線５１による線路間クロストークの大きさを記録機能の正常／異常の判断材料として有効に活用したものである。
【００４６】
このように、記録側線路２１Ｗに記録電流を通電すると、記録側負荷の状態に対応して再生側線路２１Ｒに、線路間クロストークの大きさの違いとして現れる。このクロストーク振幅を検出することにより、記録ヘッドの状態を推定することができる。
【００４７】
ここで、記録側線路負荷の違いと線路間クロストーク振幅との関係について説明する。線路間クロストークが発生する伝送線路２１の記録側線路２１Ｗと再生側線路２１Ｒの並走部２１ａについては、記録電流の時間変化が大きいほどクロストーク波形振幅は大きくなる。
【００４８】
記録側線路２１Ｗから記録ヘッド用コイルへの入力では、インピーダンスミスマッチが生じているために、必ず反射電流が生じている。この反射電流は、伝送線路２１の特性インピーダンスと記録ヘッドのインピーダンスで決まり、その過渡応答として現れる。過渡応答の時定数は、τ＝Ｌｈ／（Ｚｏ＋Ｒｈ）となる。ここで、Ｌｈ：記録ヘッドのインダクタンス、Ｒｈ：記録ヘッドの抵抗、Ｚｏ：伝送線路の特性インピーダンスを表す。
【００４９】
すなわち、記録ヘッドのコイル短絡などによりインダクタンスが小さくなると、時定数τは小さくなり、記録電流の時間的変化は早くなる。線路間クロストーク波形振幅は、記録電流の時間変化量に比例するため、その結果、線路間クロストーク波形振幅は大きくなると予測できる。
【００５０】
次に、図４〜図１０を用いて、記録ヘッドコイルの正常／異常サンプルを試作し、線路間クロストーク波形振幅を比較した評価結果の一例を説明する。それぞれ、図４は記録ヘッドコイルの正常／異常評価に用いた伝送線路の断面図、図５は正常品／異常品サンプルのクロストーク振幅電圧比較の説明図、図６は正常品／異常品サンプルの周波数に対するクロストーク振幅電圧変化の特性図、図７は図６の評価結果による振幅比率の説明図、図８は異常品サンプルの時間に対するクロストーク振幅電圧変化の特性図、図９は正常品サンプルの時間に対するクロストーク振幅電圧変化の特性図、図１０は周波数の変化に対するインダクタンス変化の特性図を示す。
【００５１】
図４に示すように、記録ヘッドコイルの正常／異常評価に用いた伝送線路２１は、記録側線路２１Ｗの中心と再生側線路２１Ｒの中心までの記録再生線路間隔６０を７００μｍ、記録側線路２１Ｗの記録側線路幅６１を１４０μｍ、記録側導体４０の幅を４０μｍ、記録側導体間を６０μｍ、再生側導体４１の幅を５０μｍ、再生側導体間を４０μｍ程度として、記録再生線路間隔６０は記録側線路幅６１の５倍程度に設定した。
【００５２】
図５に示すように、記録ヘッドコイルの正常／異常評価では、サンプル２は記録ヘッドの正常品、サンプル１は記録ヘッドコイルの異常品を想定したものであり、この場合の正常品／異常品の判定ラインの閾値は１２００ｍＶ程度のクロストーク振幅電圧となる。
【００５３】
図６および図７に示すように、周波数を５０ＭＨｚ〜７２５ＭＨｚ程度まで変化させた場合のクロストーク振幅電圧は、正常品のサンプル２では８２０ｍＶ〜４９０ｍＶ程度の範囲での僅かな変化に対して、異常品のサンプル１では１１１０ｍＶ〜１１０ｍＶ程度まで大きな変化が見られる。例えば、正常品のサンプル２に対する異常品のサンプル１のクロストーク振幅電圧の振幅比率は、５０ＭＨｚの周波数では１．３５、１００ＭＨｚでは１．７８、２００ＭＨｚでは１．７９、…、４００ＭＨｚの周波数では１．０５程度となり、５００ＭＨｚ以上になると１以下の振幅比率となる。
【００５４】
図８は、異常品のサンプル１について、周波数２００ＭＨｚ程度における時間の変化に対するクロストーク振幅電圧を表し、クロストーク振幅電圧がプラス側、マイナス側に大きく変化する波形となる。これに対して、図９は正常品のサンプル２についてのクロストーク振幅電圧を表し、プラス側、マイナス側に変化するクロストーク振幅電圧の値が小さくなる。この例では、図中に示す位置に正常品／異常品の判定の閾値レベルが設定される。
【００５５】
図１０に示すように、周波数の変化に対するインダクタンスは、正常品のサンプル２では周波数の増大に伴って減少する方向となり、一方、異常品のサンプル１ではほぼ一定の値を保持する。例えば、周波数１ＭＨｚ程度におけるインダクタンスは、正常品では１２．２ｎＨ、異常品では５．３ｎＨ程度（正常品の４３％程度）となり、また６００ＭＨｚ程度では正常品が１０．５ｎＨ、異常品が５．２ｎＨ程度（正常品の５０％程度）、６００ＭＨｚ程度では正常品が７．２ｎＨ、異常品が５ｎＨ程度（正常品の６９％程度）のインダクタンスとなる。
【００５６】
以上の評価結果から、異常品のサンプル１は正常品のサンプル２に比べてインダクタンスを約半分に設定した場合に、インダクタンスを約半分にしたサンプル１の方が線路間クロストークの振幅では１．５倍程度になっている。従って、記録ヘッドのコイル短絡などによるインダクタンスの減少に伴い、記録電流反転位置では記録電流値の時間変化率が大きくなるために、記録側線路２１Ｗから再生側線路２１Ｒへの線路間クロストークが大きくなることが分かる。また、正常時の線路間クロストークは、再生ヘッド（ＭＲヘッド）にダメージを与えない程度以下とし、異常時のみ線路間クロストークが大きく発生する構造とする。
【００５７】
このような評価結果を踏まえて、伝送線路２１の記録再生線路間隔６０は記録側線路幅６１の５倍を含む３〜５．５倍の範囲内に設定する。また、記録側線路２１Ｗから再生側線路２１Ｒへの線路間クロストークは、記録側線路２１Ｗに接続する負荷のインダクタンスが正常な場合の線路間クロストーク振幅を基準とした時、この正常な負荷のインダクタンスに対して５０％を含む４３〜６９％程度の負荷のインダクタンスの場合には線路間クロストークを１．５倍を含む１．３５〜２倍程度発生させるようにする。
【００５８】
次に、図１１により、プリアンプ内の線路間クロストーク振幅の違いを検出する検出部の一例を説明する。図１１はプリアンプ内の線路間クロストーク振幅検出部の構成図を示す。
【００５９】
図１１に示すように、プリアンプ２０内の線路間クロストーク振幅検出部３６は、線路間クロストーク信号の分岐回路３０、線路間クロストーク振幅の検出回路３１、線路間クロストーク振幅値と正常時基準振幅値との比較回路３２、正常時基準振幅値の信号源３４などから構成される。
【００６０】
記録アンプ２０Ｗから記録側線路２１Ｗに記録電流を出力させると、記録側線路負荷の状態に対応して、再生側線路２１Ｒには線路間クロストークが誘導される。そのために、再生アンプ２０Ｒには、線路間クロストーク信号が入力される。再生アンプ２０Ｒの途中の分岐回路３０で分岐し、線路間クロストークの振幅を検出するための検出回路３１に入力する。ここで、検出回路３１は、クロストークの振幅を検出する目的から、サンプルホールド回路またはピークホールド回路を用いることにより実現できる。
【００６１】
線路間クロストーク振幅が異常時の大きさか正常時の大きさかを判定するために、比較回路３２の一方に検出回路３１の出力を入力し、比較回路３２の他方の入力には、線路間クロストーク振幅を判定するための閾値を入力する。この閾値には、記録ヘッドが正常なときの線路間クロストーク振幅値から、異常なときの線路間クロストーク振幅値までの範囲内で設定し、信号源３４から出力する。この信号源３４による閾値より、検出回路３１の出力信号が大きいときは、比較回路３２から記録状態異常信号（ＷＵＳ）３５として出力し、図示しない記録状態異常を判断する機能部位に入力して記録状態異常と判断する。
【００６２】
前述の閾値を設定する場合、記録ヘッドが正常な時の線路間クロストーク振幅値が基準になる。そこで、正常時の線路間クロストーク振幅値の求め方は、次のように行う。
【００６３】
比較回路３２の一方には記録ヘッドが正常時の線路間クロストーク振幅値の検出回路３１の出力を入力し、他方には信号源３４の出力を閾値として入力する。信号源３４は、シリアルデータコントローラ３３により、閾値をスキャニングできるようにしている。閾値をスキャニングしながら、比較回路３２の出力が反転するときの閾値を求め、その閾値が線路間クロストーク振幅値を表している。従って、記録ヘッドが正常時の線路間クロストーク振幅値よりも閾値を大きく設定することにより、正常時は除き、異常時は線路間クロストーク振幅が大きくなることから異常時のみ検出することができる。
【００６４】
従って、本実施の形態の磁気ディスク装置によれば、記録ヘッド用コイルの短絡などにより、記録側線路２１Ｗの負荷インダクタンスが小さくなると、記録側線路２１Ｗから再生側線路２１Ｒへの線路間クロストークの振幅が大きくなることを利用し、コイル異常（インダクタンスの変化）の検出手段としてプリアンプ２０内に線路間クロストーク振幅検出部３６を設けることによって、磁気記録機能を保障することができる。
【００６５】
すなわち、線路間クロストーク振幅検出部３６において、プリアンプ２０の再生回路内の分岐回路３０から分岐して、線路間クロストーク振幅の検出回路３１を設け、さらに振幅が閾値以上になったとき、記録状態異常であることを判断する機能を設けることで、記録状態異常を検出することができる。また、ヘッド近傍の線路での短絡についても、同様にインダクタンスが小さくなるために、線路間クロストークは大きくなり、記録状態異常を検出することができる。これにより、プリアンプ２０における記録機能の保障が可能になる。
【００６６】
【発明の効果】
本発明によれば、記録ヘッドのコイル短絡・記録系伝送線路短絡等により記録側線路負荷のインダクタンスが小さくなるために、線路間クロストーク振幅が大きくなり、線路負荷異常（記録ヘッドのコイル短絡、記録側伝送線路短絡）が検出できるので、記録系の磁気記録障害が検出でき、さらに誤検出を低減することができる。
【図面の簡単な説明】
【図１】本発明の一実施の形態の磁気ディスク装置を示す構成図である。
【図２】本発明の一実施の形態の磁気ディスク装置において、アーム・サスペンション上の伝送線路を表し、（ａ）は伝送線路を示す平面図、（ｂ）は（ａ）のＡ−Ａ’切断線による伝送線路を示す断面図である。
【図３】本発明の一実施の形態の磁気ディスク装置において、伝送線路の並走部分における線路間クロストークの発生原理を表し、（ａ）は線路間クロストークの発生原理を示す説明図、（ｂ）は各磁力線による電磁誘導を示す説明図である。
【図４】本発明の一実施の形態の磁気ディスク装置において、記録ヘッドコイルの正常／異常評価に用いた伝送線路を示す断面図である。
【図５】本発明の一実施の形態の磁気ディスク装置における記録ヘッドコイルの正常／異常評価において、正常品／異常品サンプルのクロストーク振幅電圧比較を示す説明図である。
【図６】本発明の一実施の形態の磁気ディスク装置における記録ヘッドコイルの正常／異常評価において、正常品／異常品サンプルの周波数に対するクロストーク振幅電圧変化を示す特性図である。
【図７】本発明の一実施の形態の磁気ディスク装置における記録ヘッドコイルの正常／異常評価において、図６の評価結果による振幅比率を示す説明図である。
【図８】本発明の一実施の形態の磁気ディスク装置における記録ヘッドコイルの正常／異常評価において、異常品サンプルの時間に対するクロストーク振幅電圧変化を示す特性図である。
【図９】本発明の一実施の形態の磁気ディスク装置における記録ヘッドコイルの正常／異常評価において、正常品サンプルの時間に対するクロストーク振幅電圧変化を示す特性図である。
【図１０】本発明の一実施の形態の磁気ディスク装置における記録ヘッドコイルの正常／異常評価において、周波数の変化に対するインダクタンス変化を示す特性図である。
【図１１】本発明の一実施の形態の磁気ディスク装置において、プリアンプ内の線路間クロストーク振幅検出部を示す構成図である。
【符号の説明】
１０…ＨＤＡ、１３…磁気記録媒体、１４…磁気ヘッド、１４Ｗ…記録ヘッド用コイル端子、１４Ｒ…再生ヘッドの出力端子、１５…キャリッジ部、１６…ＦＰＣ、１８…アーム、１９…サスペンション、２０…プリアンプ、２０Ｗ…記録アンプ、２０Ｒ…再生アンプ、２１…伝送線路、２１Ｗ…記録側線路、２１Ｒ…再生側線路、２１ａ…並走部、２１ｂ…分離部、３０…分岐回路、３１…検出回路、３２…比較回路、３３…シリアルデータコントローラ、３４…信号源、３５…記録状態異常信号、３６…線路間クロストーク振幅検出部、４０…記録側導体、４１…再生側導体、４２…カバー、４３…ベース、４４…下部導体、５０〜５２…磁力線、６０…記録再生線路間隔、６１…記録側線路幅。
【図１】
2004192676.tif 000003
【図２】
2004192676.tif 000004
【図３】
2004192676.tif 000005
【図４】
2004192676.tif 000006
【図５】
2004192676.tif 000007
【図６】
2004192676.tif 000008
【図７】
2004192676.tif 000009
【図８】
2004192676.tif 000010
【図９】
2004192676.tif 000011
【図１０】
2004192676.tif 000012
【図１１】
2004192676.tif 000013